(57)【要約】【課題】スタイラスペンを押下する圧力に応じて、拡大表示領域のサイズ、あるいは拡大率を動的に変化させ、かつ、スタイラスペンの移動に追随させて拡大表示領域を移動することができる入力装置を提供する。【解決手段】ダブルノック式のノック部を備えたスタイラスペン１１０と、座標入力部１０３と、座標情報検知部１０２と、座標情報の履歴に基づきスタイラスペンの接触状態を判定する接触状態判定部１０４と、表示部１０９と、指定した座標位置の周辺の拡大画像を生成する拡大画像生成部１０７と、表示部に表示する画像情報に、拡大画像を重畳して表示する画像表示制御部１０８と、押下圧力と拡大表示領域のサイズを対応付けた対応テーブル１０５と、ノック判定部１０６を備え、スタイラスペンを画面に接触させたとき拡大表示領域を元画像に重畳して表示するように構成する。【選択図】図１
2011165023.tif 000002
【特許請求の範囲】
【請求項１】
スタイラスペンと、
前記スタイラスペンにより押下された座標情報と押下圧力情報とを検出して出力する座標入力部と、
画像を表示する表示部と、
前記座標入力部の検出した押下圧力に基づいて、前記画像のうちの前記座標情報に対応する位置の周辺部分の画像を拡大した拡大画像を生成する拡大画像生成部と、
前記表示部に、前記画像のうちの前記座標情報に対応する位置の周辺部分に前記拡大画像を重畳して表示させる画像表示制御部と、を備える
入力装置。
【請求項２】
スタイラスペンと、
前記スタイラスペンにより押下された座標情報と押下圧力情報とを検出して出力する座標入力部と、
画像を表示する表示部と、
前記座標入力部の検出した押下圧力に基づいた範囲の、前記画像のうちの前記座標情報に対応する位置の周辺部分の画像を、拡大した拡大画像を生成する拡大画像生成部と、
前記表示部に、前記画像のうちの前記座標情報に対応する位置の周辺部分に前記拡大画像を重畳して表示させる画像表示制御部と、を備える
入力装置。
【請求項３】
前記座標入力部の検出した前記押下圧力情報の履歴に基づき前記スタイラスペンの接触状態を判定する接触状態判定部と、を備え、
前記スタイラスペンは、先端部分が所定の押下圧力以上で押下されると軸筒に押し込まれるノックが発生し、
前記接触状態判定部は、前記押下圧力情報の履歴に基づきスタイラスペンのノックを検出し、
前記拡大画像生成部は、前記接触状態判定部がノックを検出した場合に、前記座標情報に対応する位置を中心とした前記画像の拡大画像を生成し、
前記画像表示制御部は、前記接触状態判定部がノックを検出した場合に、前記表示部に、前記座標情報に対応する位置を中心とした前記画像の拡大画像を表示させる
請求項２に記載の入力装置。
【請求項４】
スタイラスペンと、
前記スタイラスペンにより押下された座標情報と押下圧力情報とを検出して出力する座標入力部と、
画像を表示する表示部と、
前記画像のうちの前記座標情報に対応する位置の周辺部分の画像を、前記座標入力部の検出した押下圧力に基づいた拡大率で拡大した拡大画像を生成する拡大画像生成部と、
前記表示部に、前記画像のうちの前記座標情報に対応する位置の周辺部分に前記拡大画像を重畳して表示させる画像表示制御部と、を備える
入力装置。
【発明の詳細な説明】
【技術分野】
【０００１】
本発明は、入力装置に関し、特に、タッチパネル又はタッチパッドを有するコンピュータ本体、携帯型電子機器本体等の本体機器とスタイラスペンとから構成されるスタイラス入力装置に関するものである。
【背景技術】
【０００２】
コンピュータや携帯電話、ＰＤＡ等の電子機器において、透過型のポインティングデバイスを表示装置に貼り合わせた、いわゆるタッチパネル型入力装置を搭載した電子機器が普及してきている。これらの機器では、画面上に表示された図形等に対してスタイラスペンあるいは指による操作を行なうと、前記ポインティングデバイスが操作を検知し、機器に対する指示を受付けるものである。
【０００３】
従来、この種の入力装置として、感圧式入力装置（ポインティングデバイス）を有し、スタイラスペンの押下圧力に応じて、既に画面上に表示されている図形オブジェクトを選択するように構成したものが知られている（例えば、特許文献１参照）。これによれば、画面上でスタイラスペンを画面に接触させ、押下する圧力を徐々に高めてゆくと、所定の圧力を超えた時点から画面上に円形の選択領域が表示される。その後、押下する圧力に応じて前記選択領域が拡大あるいは縮小し、既に画面上に表示されている図形オブジェクトの選択を行なうことができる。
【０００４】
また、平面型座標入力装置（ポインティングデバイス）において、いわゆるタップ操作を行なうと、画面上に表示している図形を拡大表示するように構成したものが知られている（例えば、特許文献２参照）。これによれば、画面上でタップ操作を行なうと、同操作を行なった位置の周辺に表示されている図形を、あらかじめ定められた位置に、あらかじめ定められていた拡大率にて拡大表示を行なうことができる。
【先行技術文献】
【特許文献】
【０００５】
【特許文献１】特開２００４−２８０５３２号公報（第１４頁、図３、４、５）
【特許文献２】特開２００１−２４２９８１号公報（第６頁、図２）
【発明の概要】
【発明が解決しようとする課題】
【０００６】
しかしながら、特許文献１に記載された入力装置では、スタイラスペンを押下する圧力に応じて、図形オブジェクトを選択するための選択範囲が拡大あるいは縮小するようにしており、表示されている図形自体を拡大表示することができないという問題があった。
【０００７】
また、特許文献２に記載された入力装置では、タップ操作を行なうことにより、あらかじめ定められた位置およびサイズで、また、あらかじめ定められた拡大率にて拡大表示を行なうようにしており、拡大表示領域の位置を動的に変更することや、拡大表示領域のサイズ、拡大率も動的に変更することができないという問題があった。
【０００８】
本発明は、このような従来の問題に鑑みてなされたものであり、スタイラスペンを押下する圧力に応じて、拡大表示領域のサイズを動的に変化させること、あるいは拡大率を動的に変化させることができ、また、スタイラスペンが接触している画面上の位置を移動させることにより、拡大表示領域を追随させて移動することができるスタイラス入力装置を提供するものである。
【課題を解決するための手段】
【０００９】
前記課題を解決するために、本発明の入力装置は、スタイラスペンと、前記スタイラスペンにより押下された座標情報と押下圧力情報とを検出して出力する座標入力部と、画像を表示する表示部と、前記座標入力部の検出した押下圧力に基づいて、前記画像のうちの前記座標情報に対応する位置の周辺部分の画像を拡大した拡大画像を生成する拡大画像生成部と、前記表示部に、前記画像のうちの前記座標情報に対応する位置の周辺部分に前記拡大画像を重畳して表示させる画像表示制御部と、を備える。
【００１０】
この構成により、操作者がスタイラスペンを用いて、画面上の一点を押下したとき、その押下した点を中心として、拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００１１】
また、本発明の入力装置は、スタイラスペンと、前記スタイラスペンにより押下された座標情報と押下圧力情報とを検出して出力する座標入力部と、画像を表示する表示部と、前記座標入力部の検出した押下圧力に基づいた範囲の、前記画像のうちの前記座標情報に対応する位置の周辺部分の画像を、拡大した拡大画像を生成する拡大画像生成部と、前記表示部に、前記画像のうちの前記座標情報に対応する位置の周辺部分に前記拡大画像を重畳して表示させる画像表示制御部と、を備える。
【００１２】
この構成により、操作者がスタイラスペンを用いて、画面上の一点を押下したとき、その押下した点を中心として、押下圧力に基づいた範囲の拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００１３】
また、本発明の入力装置は、前記座標入力部の検出した前記押下圧力情報の履歴に基づき前記スタイラスペンの接触状態を判定する接触状態判定部と、を備え、前記スタイラスペンは、先端部分が所定の押下圧力以上で押下されると軸筒に押し込まれるノックが発生し、前記接触状態判定部は、前記押下圧力情報の履歴に基づきスタイラスペンのノックを検出し、前記拡大画像生成部は、前記接触状態判定部がノックを検出した場合に、前記座標情報に対応する位置を中心とした前記画像の拡大画像を生成し、前記画像表示制御部は、前記接触状態判定部がノックを検出した場合に、前記表示部に、前記座標情報に対応する位置を中心とした前記画像の拡大画像を表示させるものを含む。
【００１４】
この構成により、スタイラスペンを押下してノックを発生させたとき、指示している位置を中心として画面全体を拡大するので、表示中の画像を拡大する際の中心位置を容易に決めることができ、また、前記中心位置を元に画面全体を拡大することができる。
【００１５】
また、本発明の入力装置は、スタイラスペンと、前記スタイラスペンにより押下された座標情報と押下圧力情報とを検出して出力する座標入力部と、画像を表示する表示部と、前記画像のうちの前記座標情報に対応する位置の周辺部分の画像を、前記座標入力部の検出した押下圧力に基づいた拡大率で拡大した拡大画像を生成する拡大画像生成部と、前記表示部に、前記画像のうちの前記座標情報に対応する位置の周辺部分に前記拡大画像を重畳して表示させる画像表示制御部と、を備える。
【００１６】
この構成により、操作者がスタイラスペンを用いて、画面上の一点を押下したとき、その押下した点を中心として、押下圧力に基づいた拡大率で拡大した拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【発明の効果】
【００１７】
本発明の入力装置によれば、操作者がスタイラスペンを用いて、画面上の一点を押下したとき、その押下した点を中心として、拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００１８】
また、本発明の入力装置によれば、操作者がスタイラスペンを用いて、画面上の一点を押下したとき、その押下した点を中心として、押下圧力に基づいた範囲の拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００１９】
また、本発明の入力装置によれば、操作者がスタイラスペンを用いて、画面上の一点を押下したとき、押下圧力に基づいた拡大率で、その押下した点を中心とした拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【図面の簡単な説明】
【００２０】
【図１】本発明の実施の形態１におけるスタイラス入力装置の概略構成図
【図２】本発明の実施の形態１におけるスタイラス入力装置の動作を説明するフローチャート
【図３】本発明の実施の形態１におけるスタイラスペンの押下圧力と対応する拡大表示領域サイズを記憶した対応テーブルの内容を示す図
【図４】本発明の実施の形態１におけるスタイラス入力装置の利用状況の例を示す図
【図５】本発明の実施の形態２におけるスタイラス入力装置の動作を説明するフローチャート図
【図６】本発明の実施の形態２におけるスタイラスペンの押下圧力と対応する拡大率を記憶した対応テーブルの内容を示す図
【図７】本発明の実施の形態１におけるスタイラス入力装置の利用状況の例を示す図
【図８】本発明の実施の形態１におけるスタイラス入力装置の拡大表示領域の表示位置の例を示す図
【図９】本発明の実施の形態１におけるスタイラス入力装置のダブルノック式のノック部を備えた指示体（スタイラスペン）の構造を示す図
【図１０】本発明の実施の形態１におけるスタイラス入力装置のダブルノック式のノック部を備えた指示体（スタイラスペン）にてノックを発生させた際の押下圧力の変化を示す図
【発明を実施するための形態】
【００２１】
以下、本発明の実施の形態について、図面を参照しながら説明する。
【００２２】
（実施の形態１）
本発明の実施の形態１について説明する。図１は、本発明の実施の形態におけるスタイラス入力装置の概略構成図、図２は、同スタイラス入力装置の動作を説明するフローチャート、図３は、図１に示す対応テーブル１０５の一例を示すテーブル、図４は、同スタイラス入力装置における画面表示状態および、スタイラスによる操作の一例を示す模式図である。
【００２３】
まず、本実施の形態１のスタイラス入力装置の構成を図１を用いて説明する。図１に、本発明の実施の形態１におけるスタイラス入力装置の概略構成図を示す。本発明の実施の形態１における入力装置であるスタイラス入力装置は、タッチパネル又はタッチパッドを有するコンピュータ本体、携帯型電子機器本体等の本体機器１００と指示体であるスタイラスペン１１０とから構成される。
【００２４】
ここで、指示体であるスタイラスペン１１０は、ダブルノック式のノック部（又はノック機構ともいう。例えば、特開昭６０−５４８９６号公報参照）を具備する。具体的には、図９（Ａ）に示すように、スタイラスペン１１０は、軸筒と、先端部分とから構成される。また、図９（Ａ）に示すスタイラスペン１１０のノック部はカム及びバネを備え（図示せず）、先端部分に荷重が加わるとバネの力によって先端部分が軸筒内に押し込まれる。また、スタイラスペンで１１０は、先端部分に加わる荷重が或る閾値を超えると、図９（Ｂ）に示すように、第１のノックが発生する。また、図９（Ｂ）に示す第１のノックが発生した後に先端部分が軸筒から引き出されると、図９（Ｃ）に示すように第２のノックが発生する。すなわち、スタイラスペン１１０は、先端部分が軸筒に押し込まれると第１のノックが発生し、第１のノックの発生後に先端部分が軸筒から引き出されると第２のノックが発生するダブルノック式のノック部である。
ここで、ノックとは、指示体（スタイラスペン）の押下により、図１０に示すような筆圧（押下圧力）の時間的な急峻な変化を検知し、ノックの発生の有無を判定するものである。
【００２５】
本体機器１００は、図１に示すように、座標入力部１０３と、座標情報検知部１０２と、接触状態判定部１０４と、対応テーブル１０５と、ノック判定部１０６と、画像表示制御部１０８と、表示部１０９と、制御部１０１とを備えている。
【００２６】
座標入力部１０３（例えば、タッチパッド）は、スタイラスペン１１０により押下された際、少なくとも座標の情報と押下圧力の情報（以下、座標情報とする）を継続的に検出して出力する。
【００２７】
座標情報検知部１０２は、座標入力部１０３の出力した情報を保持する。
【００２８】
接触状態判定部１０４は、座標情報検知部１０２が通知した座標情報の履歴を保持し、当該座標情報の履歴に基づき前記スタイラスペンの接触状態を判定する。
【００２９】
対応テーブル１０５は、スタイラスペンの押下圧力と拡大表示領域のサイズを対応付けて保持する。
【００３０】
ノック判定部１０６は、接触状態判定部１０４が保持する接触状態の情報に基づきノック操作の発生の有無を判定する。
【００３１】
拡大画像生成部１０７は、指定された画面上の位置を中心として、あらかじめ定められた拡大率および指定された拡大表示領域サイズ（押下圧力に基づいた拡大表示領域サイズ）にて拡大画像を生成する。
【００３２】
画像表示制御部１０８は、現在表示中の画像のみ、あるいは拡大画像生成部１０７の生成した拡大画像を重ね合わせた画像を表示するよう制御する。
【００３３】
表示部１０９は、画像表示制御部１０８により生成された画像を表示する。ここで、座標入力部１０３と表示部１０９として、透明な座標入力部１０３と表示部１０９とを積層してタッチパネルを構成したものを用いることもできる。
【００３４】
制御部１０１は、座標入力部１０３、座標情報検知部１０２、接触状態判定部１０４、対応テーブル１０５、ノック判定部１０６、画像表示制御部１０８、表示部１０９等の本体機器１００の各部を制御する。
【００３５】
次に、本実施の形態１のスタイラス入力装置の動作を図２を用いて説明する。本実施の形態１では、携帯型電子機器の表示部１０９と透過型の座標入力部１０３を貼り合わせた状態の装置（タッチパネル）を図４（Ａ）から（Ｅ）に示すものとし、図４（Ａ）に示すように三角形４Ａ０１を表示している状態とする。また対応テーブル１０５はスタイラスペンの押下圧力と拡大表示領域サイズを図３に示すように対応付けて保持するものとして説明する。また、本実施の形態１では、前述の第１のノックをノックの動作として説明する。
【００３６】
図４（Ｂ）に示すように、スタイラスペン４Ｂ０１にて画面を押下すると、座標入力部１０３は座標情報を継続的に座標情報検知部１０２に通知する。座標情報検知部１０２は、スタイラスペン１１０の接触を検知したことを制御部１０１に通知する。制御部１０１は、スタイラスペン１１０の接触を検知したことを受け（Ｓ２０１）、座標情報検知部１０２から前記座標情報を取得し（Ｓ２０２）、同情報を接触状態判定部１０４に通知する。接触状態判定部１０４は受け取った座標情報および、保持している座標情報の履歴を、ノック判定部１０６に通知する。図４（Ｂ）の状態ではノックが発生していないため、ノック判定部１０６はノックが発生していない旨を接触状態判定部１０４に通知する（Ｓ２０３）。接触状態判定部１０４は座標情報の押下圧力をもとに、対応テーブル１０５を参照し、拡大表示領域のサイズを決定し（Ｓ２０８）、その旨を座標情報と共に制御部１０１に通知する。ここでは、押下圧力を１０［指標値］とし、拡大表示領域のサイズは４０［ピクセル］とする。制御部１０１は通知された座標情報と拡大表示領域のサイズを、拡大画像生成部１０７に通知する。拡大画像生成部１０７は通知された座標を中心とし、かつ指定された拡大表示領域のサイズでもって拡大画像を生成し、制御部１０１に通知する（Ｓ２０９）。制御部１０１は、通知された前記拡大画像を、保持していた座標情報と共に画像表示制御部１０８に通知する。画像表示制御部１０８は、通知された座標位置に前記拡大画像を、既に表示している画像、図４（Ａ）に重畳して図４（Ｂ）のごとく表示部１０９に表示する（Ｓ２１０）。ここでは、図４（Ｂ）の４Ｂ０２が拡大表示領域である。
【００３７】
続いて、スタイラスペン１１０にて画面を押下した状態のまま、移動させた場合について説明する。図４（Ｃ）に示すように、スタイラスペン４Ｃ０１が画面上に接触しており、前述のとおり、押下圧力を１０［指標値］とし、拡大表示領域４Ｃ０２のサイズを４０［ピクセル］とし、スタイラスペン４Ｃ０１を画面に接触したまま、図中の矢印の方向に移動させ４Ｃ０３の位置に達したものとする。この場合、前述のＳ２０１からＳ２０３と同様に処理を行なった後、接触状態判定部１０４は座標情報の押下圧力をもとに、対応テーブル１０５を参照し、拡大表示領域のサイズを決定し（Ｓ２０８）、その旨を座標情報と共に制御部１０１に通知する。ここでは、押下圧力を５［指標値］とし、拡大表示領域のサイズは３０［ピクセル］とする。以下、前述のＳ２０９からＳ２１０と同様に処理を行なう。ここでは、スタイラスペンの押下圧力が１０［指標値］から５［指標値］に変化したため、それに応じて拡大表示領域のサイズが図４（Ｃ）の４Ｃ０２に示すサイズの４０［ピクセル］から４Ｃ０４に示す３０［ピクセル］に変化する。
【００３８】
続いて、スタイラスペン１１０にて画面を押下した状態のまま、さらに押下圧力を大きくした場合について説明する。図４（Ｃ）のスタイラスペン４Ｃ０３、および拡大表示領域４Ｃ０４にて押下圧力を大きくしたものとする。この場合、前述のＳ２０１からＳ２０３と同様に処理を行なった後、接触状態判定部１０４は座標情報の押下圧力をもとに、対応テーブル１０５を参照し、拡大表示領域のサイズを決定し（Ｓ２０８）、その旨を座標情報と共に制御部１０１に通知する。ここでは、押下圧力を２０［指標値］とし、拡大表示領域のサイズは６０［ピクセル］とする。以下、前述のＳ２０９からＳ２１０と同様に処理を行なう。ここでは、スタイラスペンの押下圧力が５［指標値］から２０［指標値］に変化したため、それに応じて拡大表示領域のサイズが図４（Ｃ）の４Ｃ０２に示すサイズの３０［ピクセル］から４Ｃ０４に示す６０［ピクセル］に変化する。
【００３９】
続いて、スタイラスペン１１０にて画面を押下した状態のまま、さらに押下圧力を大きくし、ノックが発生した場合について説明する。図４（Ｄ）のスタイラスペン４Ｄ０１、および拡大表示領域４Ｄ０２にて押下圧力を大きくし、ノックを発生させたものとする。この場合、前述のＳ２０１からＳ２０２と同様に処理を行なった後、接触状態判定部１０４は受け取った座標情報および、保持している座標情報の履歴を、ノック判定部１０６に通知する。ノック判定部１０６はノックが発生した旨を接触状態判定部１０４に通知する（Ｓ２０３）。接触状態判定部１０４はノックが発生した旨を座標情報と共に制御部１０１に通知する。制御部１０１は通知された座標情報と画面全体を拡大する旨を、拡大画像生成部１０７に通知する。拡大画像生成部１０７は通知された座標を中心とした画面全体の拡大画像を生成し、制御部１０１に通知する（Ｓ２０４）。制御部１０１は、通知された前記拡大画像を画像表示制御部１０８に通知する。画像表示制御部１０８は、通知された前記拡大画像を図４（Ｅ）のごとく表示部１０９に表示する（Ｓ２０５）。
【００４０】
続いて、拡大表示領域の表示中に、スタイラスペン１１０を離脱させた場合について説明する。図４（Ｂ）に示すように、スタイラスペン４Ｂ０１が画面上に接触しており、拡大表示領域４Ｂ０２を表示しているものとする。この時、スタイラスペンを画面上から離脱させると、座標入力部１０３は座標情報検知部１０２に対して継続していた座標情報の通知を中止する。座標情報検知部１０２はスタイラスペンの離脱を検知したことを制御部１０１に通知する。制御部１０１は、スタイラスペンの離脱を検知したことを受け（Ｓ２０１）、拡大表示領域の表示中であったことから（Ｓ２０６）、拡大表示領域を消去する旨を画像表示制御部１０８に通知する。画像表示制御部１０８は、表示中の拡大表示領域を消去し、図４（Ａ）のごとく表示部１０９に表示する（Ｓ２０７）。
【００４１】
以上で説明したように、本実施の形態１の入力装置によれば、操作者がスタイラスペンを用いて、画面上の一点を押下したとき、その押下した点を中心として、押下圧力に基づいた範囲の拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００４２】
また、本実施の形態１の入力装置によれば、スタイラスペンを押下する圧力を大きくした、あるいは小さくしたとき、圧力に応じて拡大表示領域のサイズを拡大あるいは縮小するので、指示した位置の周辺の領域の拡大画像を容易に確認することができる。
【００４３】
さらに、本実施の形態１の入力装置によれば、スタイラスペンを押下してノックを発生させたとき、指示している位置を中心として画面全体を拡大するので、前述の効果と併せて、表示中の画像を拡大する際の中心位置を容易に決めることができ、また、前記中心位置を元に画面全体を拡大することができる。
【００４４】
（実施の形態２）
続いて、本発明の実施の形態２について説明する。図１は、本発明の第２の実施の形態におけるスタイラス入力装置の概略構成図、図５は、同スタイラス入力装置の動作を説明するフローチャート、図６は、図１に示す対応テーブル１０５の一例を示すテーブル、図７は、同スタイラス入力装置における画面表示状態および、スタイラスペンに夜操作の一例を示す模式図である。
【００４５】
本発明の実施の形態２における入力装置であるスタイラス入力装置は、タッチパネル又はタッチパッドを有するコンピュータ本体、携帯型電子機器本体等の本体機器１００と指示体であるスタイラスペン１１０とから構成される。指示体であるスタイラスペン１１０の構成は、特に言及のない限り実施の形態１と同様である。
【００４６】
本体機器１００は、座標入力部１０３と、座標情報検知部１０２と、接触状態判定部１０４と、対応テーブル１０５と、ノック判定部１０６と、画像表示制御部１０８と、表示部１０９と、制御部１０１とを備えている。拡大画像生成部１０７を除いて、これらの構成も特に言及のない限り実施の形態１と同様である。実施の形態２においては、拡大画像生成部１０７は、指定された画面上の位置を中心として、指定された拡大率（押下圧力に基づいた拡大率）およびあらかじめ定められた拡大表示領域サイズにて拡大画像を生成する。
【００４７】
次に、本実施の形態２について、その動作を図５を用いて説明する。本実施の形態２では、携帯型電子機器の表示部１０９と透過型の座標入力部１０３を貼り合わせた状態の装置を図７（Ａ）から（Ｅ）に示すものとし、図７（Ａ）に示すように三角形７Ａ０１を表示している状態とする。また対応テーブル１０５はスタイラスペンの押下圧力と拡大率を図６に示すように対応付けて保持するものとして説明する。また、本実施の形態２では、前述の第１のノックをノックの動作として説明する。
【００４８】
図７（Ｂ）に示すように、スタイラスペン１１０にて画面を押下すると、座標入力部１０３は座標情報を継続的に座標情報検知部１０２に通知する。座標情報検知部１０２は、スタイラスペン１１０の接触を検知したことを制御部１０１に通知する。制御部１０１は、スタイラスペン１１０の接触を検知したことを受け（Ｓ５０１）、座標情報検知部１０２から前記座標情報を取得し（Ｓ５０２）、同情報を接触状態判定部１０４に通知する。接触状態判定部１０４は受け取った座標情報および、保持している座標情報の履歴を、ノック判定部１０６に通知する。図７（Ｂ）の状態ではノックが発生していないため、ノック判定部１０６はノックが発生していない旨を接触状態判定部１０４に通知する（Ｓ５０３）。接触状態判定部１０４は座標情報の押下圧力をもとに、対応テーブル１０５を参照し、拡大率を決定し（Ｓ５０８）、その旨を座標情報と共に制御部１０１に通知する。ここでは、押下圧力を１０［指標値］とし、拡大率は１５０［％］とする。制御部１０１は通知された座標情報と拡大率を、拡大画像生成部１０７に通知する。拡大画像生成部１０７は通知された座標を中心とし、かつ指定された拡大率でもって拡大画像を生成し、制御部１０１に通知する（Ｓ５０９）。制御部１０１は、通知された前記拡大画像を、保持していた座標情報と共に画像表示制御部１０８に通知する。画像表示制御部１０８は、通知された座標位置に前記拡大画像を、既に表示している画像、図７（Ａ）に重畳して図７（Ｂ）のごとく表示部１０９に表示する（Ｓ５１０）。ここでは、図７（Ｂ）の７Ｂ０２が拡大表示領域である。
【００４９】
続いて、スタイラスペン１１０にて画面を押下した状態のまま、移動させた場合について説明する。図７（Ｃ）に示すように、スタイラスペン７Ｃ０１が画面上に接触しており、前述のとおり、押下圧力を１０［指標値］とし、拡大表示領域７Ｃ０２の拡大率を１５０［％］とし、スタイラスペンを画面に接触したまま、図中の矢印の方向に移動させ７Ｃ０３の位置に達したものとする。この場合、前述のＳ５０１からＳ５０３と同様に処理を行なった後、接触状態判定部１０４は座標情報の押下圧力をもとに、対応テーブル１０５を参照し、拡大率を決定し（Ｓ５０８）、その旨を座標情報と共に制御部１０１に通知する。ここでは、押下圧力を１５［指標値］とし、拡大率は１７５［％］とする。以下、前述のＳ５０９からＳ５１０と同様に処理を行なう。ここでは、スタイラスペンの押下圧力が１０［指標値］から１５［指標値］に変化したため、それに応じて拡大率が図７（Ｃ）の７Ｃ０２に示す拡大率の１５０［％］から７Ｃ０４に示す１７５［％］に変化する。
【００５０】
続いて、スタイラスペン１１０にて画面を押下した状態のまま、さらに押下圧力を大きくした場合について説明する。図７（Ｃ）のスタイラスペン７Ｃ０３、および拡大表示領域７Ｃ０４にて押下圧力を大きくしたものとする。この場合、前述のＳ５０１からＳ５０３と同様に処理を行なった後、接触状態判定部１０４は座標情報の押下圧力をもとに、対応テーブル１０５を参照し、拡大率を決定し（Ｓ５０８）、その旨を座標情報と共に制御部１０１に通知する。ここでは、押下圧力を２０［指標値］とし、拡大率は２００［％］とする。以下、前述のＳ５０９からＳ５１０と同様に処理を行なう。ここでは、スタイラスペンの押下圧力が１５［指標値］から２０［指標値］に変化したため、それに応じて拡大率が図７（Ｃ）の７Ｃ０２に示す拡大率の１７５［％］から７Ｃ０４に示す２００［％］に変化する。
【００５１】
続いて、スタイラスペン１１０にて画面を押下した状態のまま、さらに押下圧力を大きくし、ノックが発生した場合について説明する。図７（Ｄ）のスタイラスペン７Ｄ０１、および拡大率７Ｄ０２にて押下圧力を大きくし、ノックを発生させたものとする。この場合、前述のＳ５０１からＳ５０２と同様に処理を行なった後、接触状態判定部１０４は受け取った座標情報および、保持している座標情報の履歴を、ノック判定部１０６に通知する。ノック判定部１０６はノックが発生した旨を接触状態判定部１０４に通知する（Ｓ５０３）。接触状態判定部１０４はノックが発生した旨を座標情報と共に制御部１０１に通知する。制御部１０１は通知された座標情報と画面全体を拡大する旨を、拡大画像生成部１０７に通知する。拡大画像生成部１０７は通知された座標を中心とした画面全体の拡大画像を生成し、制御部１０１に通知する（Ｓ５０４）。制御部１０１は、通知された前記拡大画像を画像表示制御部１０８に通知する。画像表示制御部１０８は、通知された前記拡大画像を図７（Ｅ）のごとく表示部１０９に表示する（Ｓ５０５）。
【００５２】
続いて、拡大表示領域の表示中に、スタイラスペン１１０を離脱させた場合について説明する。図７（Ｂ）に示すように、スタイラスペン７Ｂ０１が画面上に接触しており、拡大表示領域７Ｂ０２を表示しているものとする。この時、スタイラスペンを画面上から離脱させると、座標入力部１０３は座標情報検知部１０２に対して継続していた座標情報の通知を中止する。座標情報検知部１０２はスタイラスペンの離脱を検知したことを制御部１０１に通知する。制御部１０１は、スタイラスペンの離脱を検知したことを受け（Ｓ５０１）、拡大表示領域の表示中であったことから（Ｓ５０６）、拡大表示領域を消去する旨を画像表示制御部１０８に通知する。画像表示制御部１０８は、表示中の拡大表示領域を消去し、図７（Ａ）のごとく表示部１０９に表示する（Ｓ５０７）。
【００５３】
以上で説明したように、本実施の形態２の入力装置によれば、操作者がスタイラスペンを用いて、画面上の一点を押下したとき、押下圧力に基づいた拡大率で、その押下した点を中心とした拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。
【００５４】
また、本実施の形態２の入力装置によれば、スタイラスペンを押下する圧力を大きくした、あるいは小さくしたとき、圧力に応じて画像の拡大率を上げる、あるいは下げるので、指示した位置の周辺の領域の拡大画像を容易に確認することができる。
【００５５】
さらに、本実施の形態２の入力装置によれば、スタイラスペンを押下してノックを発生させたとき、指示している位置を中心として画面全体を拡大するので、前述の効果と併せて、表示中の画像を拡大する際の中心位置を容易に決めることができ、また、前記中心位置を元に画面全体を拡大することができる。
【００５６】
なお、上記の実施の形態１、２では、図４および図７に示すように拡大表示領域を円形としているが、これ以外にも、矩形、多角形、楕円、その他の形状であってもよい。また、拡大表示領域をスタイラスペンの接触位置を中心として表示しているが、これ以外にも図８（Ａ）に示すようにスタイラスペンの接触位置と拡大表示領域の中心点をずらした位置に表示してもよい。また、図８（Ｂ）に示すようにスタイラスペンの接触位置に接する位置に表示することとしてもよい。
また、上記の実施の形態１、２では、第１のノックをノックの動作としたが、第２のノックをノックの動作としてもよく、さらに、第１のノックの発生と第２のノックの発生の時間の間隔の長短に応じて、前述の画面全体の拡大処理の動作の実行、非実行を判定するように、閾値を設けることとしてもよい。
【００５７】
また、上記の実施の形態１では、押下圧力と拡大表示領域サイズの対応テーブルを図３に示すように４段階で保持しているが、さらに少ない段階あるいはさらに多い段階として保持してもよい。
【００５８】
また、上記の実施の形態２では、押下圧力と拡大率の対応テーブルを図６に示すように４段階で保持しているが、さらに少ない段階あるいはさらに多い段階として保持してもよい。
【産業上の利用可能性】
【００５９】
本発明は、操作者がスタイラスペンを用いて、画面上の一点を押下したとき、その押下した点を中心として、拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。このため、本体機器とスタイラスペンとから構成されるスタイラス入力装置等の入力装置として有用である。
【００６０】
また、本発明は、操作者がスタイラスペンを用いて、画面上の一点を押下したとき、その押下した点を中心として、押下圧力に基づいた範囲の拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。このため、本体機器とスタイラスペンとから構成されるスタイラス入力装置等の入力装置として有用である。
【００６１】
また、本発明は、操作者がスタイラスペンを用いて、画面上の一点を押下したとき、押下圧力に基づいた拡大率で、その押下した点を中心とした拡大画像を元の画像に重畳して表示するので、指示した位置の拡大画像を容易に確認することができる。また、操作者がスタイラスペンを画面に接触させたまま移動させたとき、拡大画像の表示領域がスタイラスペンの接触している点に追随して移動するので、あたかもルーペを操作しているように、任意に指示した位置の拡大画像を容易に確認することができる。このため、本体機器とスタイラスペンとから構成されるスタイラス入力装置等の入力装置として有用である。
【符号の説明】
【００６２】
１００    本体機器
１０１    制御部
１０２    座標情報検知部
１０３    座標入力部
１０４    接触状態判定部
１０５    対応テーブル
１０６    ノック判定部
１０７    拡大画像生成部
１０８    画像表示制御部
１０９    表示部
１１０    スタイラスペン
【図１】
2011165023.tif 000003
【図２】
2011165023.tif 000004
【図３】
2011165023.tif 000005
【図４】
2011165023.tif 000006
【図５】
2011165023.tif 000007
【図６】
2011165023.tif 000008
【図７】
2011165023.tif 000009
【図８】
2011165023.tif 000010
【図９】
2011165023.tif 000011
【図１０】
2011165023.tif 000012